(57)【要約】【課題】クロスウェブ技術を用いて、ジッパーをウェブ状のプラスチックフィルム材料に取着する新規な装置を提供すること。【解決手段】スライダージッパーの輪郭形成部材を係合させるための装置が、一対のローラーを具備し、該ローラーのニップをジッパーが通過するようになっており、前記一対のローラーは、前記ジッパーの輪郭形成部材を互いに係合させると共に、両者間をスライダーが通過できるように、互いに離反するように構成されている。【選択図】図１
2011178171.tif 000002
【特許請求の範囲】
【請求項１】
スライダージッパーの輪郭形成部材を係合させるための装置において、
該装置は一対のローラーを具備し、該ローラーのニップをジッパーが通過するようになっており、
前記一対のローラーは、前記ジッパーの輪郭形成部材を互いに係合させると共に、両者間をスライダーが通過できるように、互いに離反するように構成されている装置。
【請求項２】
前記ニップを形成するローラーの表面は、凸面状に形成されている請求項１に記載の装置。
【発明の詳細な説明】
【技術分野】
【０００１】
本発明は「ジッパー」として知られるタイプの再閉鎖可能なファスナーに関する。ジッパーは、第１と第２の長尺の材料、通常はプラスチックから成り、該長尺材料は、その長手沿いに互いに係合するように形成される。ジッパーを形成する個々の長尺材料は「輪郭形成部材(profile)」として知られている。輪郭形成部材に装着され、かつ、輪郭形成部材沿いに移動して該輪郭形成部材を係合、解離させるスライダーを設けた場合、このジッパーは「スライダージッパー」として知られている。
【背景技術】
【０００２】
本発明は、「クロスウェブ技術(cross-web technology)」として知られる方法を用いて、ジッパーをウェブ状のプラスチックフィルム材料に取着することに関連する。これは、個々のジッパーをウェブの長手方向に対して横断方向、通常は垂直、かつ、所定間隔で同ウェブに取着することを意味している。
【発明の概要】
【課題を解決するための手段】
【０００３】
本発明は、スライダージッパーの輪郭形成部材を係合させるための装置において、該装置は一対のローラーを具備し、該ローラーのニップをジッパーが通過するようになっており、前記一対のローラーは、前記ジッパーの輪郭形成部材を互いに係合させると共に、両者間をスライダーが通過できるように、互いに離反するように構成されている装置を要旨とする。
【図面の簡単な説明】
【０００４】
【図１】移動するウェブに所定長さに予め切断したジッパーを回転タレットを用いて取付、該ウェブを垂直型製袋充填シール機械でバッグを作るために用いるための装置の略示図である。
【図２】図１の垂直型製袋充填シール機械と置換え可能な水平型製袋充填シール機械の略示図である。
【図３】図１の装置の部分詳細図である。
【発明を実施するための形態】
【０００５】
以下、添付図面を参照して本発明を例示的に更に説明する。
図１を参照すると、プラスチックバッグを製造するのに適したプラスチック、例えばポリエチレン製フィルム材料１２の供給ロール１０が示されている。ロール１０は、水平軸１４を中心として回転自在に取付けられている。ロール１０から、フィルムは鉛直上方に転換ローラー１６へ移動し、移動するフィルムは該転換ローラー１６によって水平方向へ移動するように方向付けられる。次いで、フィルムは回転タレット１８の下側を通過し、そして、参照番号２０により全体を指示する垂直型製袋充填シール機械へ移動する。
【０００６】
回転タレット１８は、駆動手段（図示せず）によって、水平軸２２を中心として反時計回りの方向に回転駆動される。前記水平軸は、フィルム材料の平面に平行で、かつ、該平面から鉛直方向に離間している。軸２２は、フィルム１２の長手の縁部２４、２６に対して垂直に延設されている。
【０００７】
回転タレット１８は円筒表面２８を有しており、該円筒表面には、軸方向に延びる４つの溝が等間隔に配設されている。図１には該溝のうち３つの溝３０ａ、３０ｂ、３０ｃのみが示されている。該溝の各々は、所定長さに予め切断したジッパーが、その中心点にスライダーを装着した状態で受容する寸法にて形成されている。上記溝の各々は、その端部、図１では左側の端部から該溝の中心点を少し超えた位置まで幅広に形成されている。これによって、溝３０ａ、３０ｂ、３０ｃの各々は、中心にスライダーを装着した所定長さに予め切断したジッパーを図１において左側から受容可能となる。
【０００８】
輪郭形成部材を係合させたジッパーの供給源３４は、水平軸３８を中心として回転自在に取付けられたスプール３６に連続する長尺部材として貯蔵されている。スプール３６から、ジッパーは、鉛直上方へ転換ローラー４０に移動する。該転換ローラーは、ジッパーの移動方向を水平方向に転換する。水平方向に向けられたジッパーは、次いで、回転スライダーアプリケータ４２を通過し、該回転スライダーアプリケータには、スライダー４６が装填されたマガジン４４が、ジッパー３４の移動方向に対して概ね垂直な水平方向に該アプリケータ４２を通して供給される。
【０００９】
スライダーアプリケータ４２は、それ自体は市販されているタイプのものであって、英国ロンドンN3 2TL、300リージェンツ パーク通り、シュープリームハウス(Supreme House, 300 Regents Park Road, London N32TL, UK)所在のシュープリームプラスチックス社(Supreme Plastics Limited)から入手できる。アプリケータ４２は、スライダー４６をマガジン４４からジッパー３４沿いに所定間隔で装着するようになっている。この操作の間、ジッパーの輪郭形成部材は互いに分離している。
【００１０】
スライダーアプリケータ４２の通過後、ジッパー３４は、一対の第１のローラー４８、５０のニップを通過する。該第１のローラーは、スライダー４６が配置されている領域を除いて、ジッパーの輪郭形成部材を互いに係合させるようになっている。ローラー４８、５０は、ジッパーに装着されているスライダー４６が、該ローラーのニップを通過する際、互いに離反動作をするように取付けられている。ローラー４８、５０は、こうして、スライダー４６が該ローラーのニップを通過する際、該スライダー上に乗上げるようになっている。図３に示すように、ニップを形成するローラー４８、５０の表面は凸面となっている。
【００１１】
次いで、ジッパー３４は、一対の第２のローラー５２、５４のニップを通過する。これら第２のローラーは、駆動手段（図示せず）によって、互いに反対方向に回転して、ジッパーをアプリケータ４２および一対の第１のローラー４８、５０を通して貯蔵スプール３２から回転タレット１８へ向けて引き出すようになっている。
【００１２】
切断ナイフ５６がローラー５２、５４と回転タレット１８との間に配設されている。ナイフ５６は、ジッパー３４を所定長さの部材５８に切断するように配置されている。該所定長さの部材の各々は、スライダー４６が中心に装着され、かつ、フィルム１２において長手の縁部２４、２６の間の幅の１／２よりも僅かに短い長さを有している。
【００１３】
熱融着バー６０がフィルム１２の下側に配置されており、かつ、前記タレットの溝３０ａ、３０ｂ、３０ｃが、「６時」の位置に配置されたときに、該溝に対して位置決めされるようになっている。融着バー６０は、制御手段（図示せず）によって、鉛直方向にフィルム１２に対して接近、離反動作可能となっている。
【００１４】
以下、所定長さに予め切断したジッパーの回転タレット１８による取付を説明する。所定長さに予め切断したジッパー５８は、上述したように切断され、タレット１８に供給される。該タレットは、その複数の溝のうち第１の溝３０ａが最上位置（「１２時」の位置）にあるとき、該溝で上記ジッパーを受容するようになっている。タレットの回転は、ジッパーが供給される間、その駆動手段の適当な制御部によって停止される。所定長さのジッパー５８およびそこに装着されているスライダー４６は、溝３０ａ内の中心に配置される。次いで、タレットは、反時計回りの方向に９０°回転駆動され（つまり、溝３０ａは「９時」の位置に配置される）、そして停止させられることによって、所定長さの更なるジッパーが、そのとき１２時の位置に配置されている溝３０ｂに挿入される。タレットが、反時計回りの方向に更に９０°回転すると、溝３０ａは「６時」の位置に移動し、そこで、タレット１８は再び停止させられる。ウェブもまた停止する。
【００１５】
次いで融着バー６０は、溝３０ａが６時の位置にあるとき、上動して該溝の下側でフィルム１２に接触するようになっている。融着バーのこの作用によって、所定長さのジッパー５８は溝３０ａから脱離し、かつ、長手の縁部２４、２６の間で同縁部に対して垂直にフィルム１２に対して中間で横断方向に延設されるようにフィルム１２に熱融着される。こうして、スライダー４６はフィルム１２の中心に配置される。
【００１６】
次いで、タレット１８が更に９０°回転し、次の溝３０ｂおよび該溝内に配置されている所定長さのジッパー５８が６時の位置に配置され、こうして該所定長さのジッパーはフィルム１２に取付ける準備ができる。該フィルムは、その位置に停止させられ、そして、上述したように融着バー６０が移動して、ジッパーがフィルムに取着される。
【００１７】
所定長さの各ジッパーが６時の位置で取付けられるのと同時に、「１２時」の位置で所定長さの更なるジッパーが導入され、こうして、タレット１８が９０°回転する間のフィルムの長手方向の移動距離に一致した間隔で、所定長さのジッパーがフィルムに取着される。
【００１８】
フィルム１２のための駆動装置、回転アプリケータ４２、駆動ローラー４８、５０、切断ナイフ５２、タレット１８のための駆動ローラーおよび融着バー６０の作用は、上述した各段階が連続的に実行されるように制御手段（図示せず）によって調和させられる。
【００１９】
製袋充填シール機械２０は周知の方法で作用し、かつ、成形カラー６２を具備しており、該成形カラー上をフィルム１２が移動する。カラー６２は、充填シリンダ６４の外表面の周囲でフィルムを管状に成形するように形成されている。機械２０によって形成されたバッグに充填すべき製品は、充填シリンダの中空部６６内に供給することができる。機械２０を通過するフィルムの経路は、スライダー４６の通過を可能とするために、適切に逃げが設けられている。シリンダ６４の周囲で管状に成型されると、フィルムは、熱融着バー６８によって互いに融着可能なように重ね合わせられる。該融着バーは、図面において矢印７０によって示される方向に前後に移動する。
【００２０】
ローラー７４、７６上で作動する駆動ベルト７２は、フィルム１２がシリンダ６４の外側を通過する際、該フィルムに接触する。シリンダ６４の反対側に、更なる一対のローラーおよび駆動ベルトが配設されており、駆動ベルト７２およびローラー７４、７６と共に、摩擦を与えて上述した装置を通して供給ロール１０からフィルムを引き出す。
【００２１】
充填シリンダ６４の下側には、周知の方法で、一対の熱融着バー７８が配設されており、該融着バーは切断ナイフ（図示せず）と協働する。加熱されたバー７８および該ナイフは、充填後に形成された各バッグの横断方向のトップシール部の形成と、次ぎのバッグからの該バッグの切離しと、次のバッグの横断方向のボトムシール部の形成とを同時に行うように構成されている。これによって、充填されたバッグの熱融着された頂部および底部が形成される。
【００２２】
融着バー７８の下側には、加熱されたジッパー融着バー８０が取付けられており、該ジッパー融着バーは、固定バー８２に対して接近、離反するように構成されている。加熱されたバー８０は固定バーに接近して、フィルムおよび帯状のジッパー５８をその間に挟持し、取付けられていないジッパーの輪郭形成部材をバッグの反対側の壁に取着する。こうして、バッグのトップシール部の下側で該バッグ内に、再閉鎖可能なスライダージッパーのシール部が形成される。
【００２３】
図２は、図１に示した装置の変形例を示しており、垂直型製袋充填シール機械２０が、周知の方法で作動する水平型製袋充填シール機械により置換されている。該水平型製袋充填シール機械では、スライダージッパー５８が取付けられフィルム１２は、成形箱８４内で、駆動ベルト（図示せず）上に配置された製品の周囲で成形され、次いで、背面融着機８６および回転融着切断バー８８によって、融着され、個々のバッグに切断される。また、再閉鎖可能なスライダージッパーのシール部が、加熱されたジッパー融着バーによってバッグ内に形成される。
【００２４】
更なる実施形態では、製袋充填シール機械は、空のバッグを製造するための製袋機械によって置換される。この空のバッグは、その後に充填密封される。こうしたバッグは「前製造(pre-made)バッグ」として知られている。
【００２５】
他の変形例では、製袋充填シール機械２０は省略され、フィルム１２は、単にリール上に巻き戻され、その後に上述した垂直型製袋充填シール機械または水平型製袋充填シール機械、或いは、製袋機械で使用される。この工程は「リール・ツー・リール(reel-to-reel)」工程として知られている。
【符号の説明】
【００２６】
１０    供給ロール
１２    フィルム材料
１８    回転タレット
２０    水平型製袋充填シール機械
２４    フィルムの長手の縁部
２６    フィルムの長手の縁部
２８    タレットの円筒表面
３０ａ    溝
３０ｂ    溝
３０ｃ    溝
３２    ジッパーの貯蔵スプール
３４    ジッパー（切断前）
３６    スプール
４２    回転スライダーアプリケータ
４４    マガジン
４６    スライダー
４８    ローラー
５０    ローラー
５８    ジッパー（切断後）
６０    熱融着バー
【図１】
2011178171.tif 000003
【図２】
2011178171.tif 000004
【図３】
2011178171.tif 000005